(57)【要約】【解決手段】薄型電源コネクタは、前面と後面とを備えた絶縁性ハウジングを有し、前面はジャックキャビティを画定し、後面はジャックキャビティと連通するホールベースを画定する。該ホールベースは貫通孔（こう）を備えた挿入制限部を含む。ホールベースの対向する内側壁は左側埋込スロットと右側埋込スロットとを画定し、ホールベースの内側底部壁は下側埋込スロットを画定する。第１の端子はホールベースに挿入され、挿入制限部に接触するまで挿入される。導電体片はホールベースの右側埋込スロットに配設され、第１の端子とそれぞれ係合する。接地のための第２の端子はホールベースの左側埋込スロットに配設される。制御のための第３の端子はホールベースの下側埋込スロットに配設される。
2006521002.tif 000002
【特許請求の範囲】
【請求項１】
薄型電源コネクタであって、
前面と後面とを備えた絶縁性ハウジングであって、前面はジャックキャビティを含み、後面はジャックキャビティと連通するホールベースとを含み、該ホールベースは、貫通孔を備えた挿入制限部を含み、前記ホールベースの対向する内側壁は左側埋込スロットと右側埋込スロットとを画定し、前記ホールベースの内側底壁は下側埋込スロットを画定する絶縁性ハウジングと、
一体形成されたはんだ付部、基部及び導電性部を備える導電体片であって、前記導電性部は貫通孔を含み、基部はホールベースの右側埋込スロット内に配設される導電体片と、
一体形成された嵌合部、コンタクト部及び突出カラーを備える第１の端子であって、前記コンタクト部は挿入制限部の貫通孔に挿入され、前記嵌合部は導電性部の貫通孔に挿入される第１の端子と、
一体形成されたはんだ付部、基部、湾曲部及びばねコンタクト部を備える第２の端子部であって、前記基部はホールベースの左側埋込スロット内に配設される第２の端子部と、
一体形成されたはんだ付部、基部及びばねコンタクト部を有する第３の端子であって、前記基部がホールベースの下側埋込スロット内に配設される第３の端子とを有する薄型電源コネクタ。
【請求項２】
前記導電体片の基部は第１の湾曲部によって導電性部に接続され、はんだ付部は第２の湾曲部によって基部に接続されている、請求項１に記載の薄型電源コネクタ。
【請求項３】
前記第１の端子の突出カラーは、導電性部と挿入制限部との間に締付けられている、請求項１に記載の薄型電源コネクタ。
【請求項４】
前記第２の端子の基部の一端は湾曲部によってばねアームに接続され、前記基部の他端は湾曲部によってはんだ付部に接続され、前記ばね端子アームはホールベースの左側の所定の位置まで延在する、請求項１に記載の薄型電源コネクタ。
【請求項５】
前記第３の端子の基部は第３の端子のばね端子アームとはんだ付部との間に接続され、該はんだ付部は基部の側縁の曲げ部から形成され、前記ばね端子アームはホールベースの下側の所定の位置まで延在する、請求項１に記載の薄型電源コネクタ。
【請求項６】
前記第２の端子、第３の端子及び導電体片の基部の側縁は、さらに、対応する埋込スロットの壁と機械的に係合する複数の干渉突起を備える、請求項１に記載の薄型電源コネクタ。
【請求項７】
薄型電源コネクタであって、
前面と後面とを備えた絶縁性ハウジングであって、前面はジャックキャビティを画定し、後面はジャックキャビティと連通するホールベースを画定し、該ホールベースは、貫通孔を備えた挿入制限部を備え、前記ホールベースの対向する内側壁は左側埋込スロットと右側埋込スロットとをそれぞれ画定し、前記ホールベースの内側底壁は下側埋込スロットを画定する絶縁性ハウジングと、
第１の端子の突出カラーが挿入制限部と係合するまでホールベースに挿入される第１の端子と、
前記ホールベースの右側埋込スロット内に配設され、第１の端子と電気的に係合する導電体片と、
前記ホールベースの左側埋込スロット内に配設された接地のための第２の端子と、
制御のための第３の端子とを有し、該第３の端子はホールベースの下側埋込スロット内に配設される薄型電源コネクタ。
【発明の詳細な説明】
【技術分野】
【０００１】
本発明は、薄型電源コネクタに関し、より詳細には、充電器や電源に接続される携帯電話機に使用される薄型電源コネクタに関する。
【０００２】
図１、２及び３を参照すると、従来技術の一群のコネクタが携帯電話機１の一端に配設されている。この一群のコネクタのうちの電源コネクタ２は、相手側電源コネクタ３のプラグ３１と嵌（かん）合するためのジャックキャビティ２０４を有する。
【０００３】
電源コネクタ２は、前面２０１と後面２０２とを備えた絶縁性ハウジング２０を有する。挿入制限部２０３は貫通孔（こう）２０３１を有する。ハウジング２０内に、第１〜第３の端子２１〜２３と導電体片２４とが配設されている。第１の端子２１は、挿入制限部２０３の貫通孔２０３１内に位置決めされている。導電体片２４は、第１の端子２１に供電するために、該第１の端子２１の固定端を取囲んで配置されている。第２の端子２２は、ハウジング２０の一側壁に配置されている。第３の端子２３は、ハウジング２０の上壁に配置されている。相手側電源コネクタ３のプラグ３１は、電源コネクタ２のジャックキャビティ２０４に挿入されて充電器あるいは電源と電気的に係合すると、第１〜第３の端子２１〜２３と電気的に係合することができる。新しい携帯電話機は、より小さく、より薄くなるように設計されている。第３の端子２３がハウジング２０の上壁に配設されるため、従来技術のコネクタハウジング２０の高さを低くすることができず、薄肉化、小型化の要望を満たすことができない。
【発明の開示】
【発明が解決しようとする課題】
【０００４】
前述のように、従来技術における携帯電話機に使用されている電源コネクタの高さを低くする必要がある。したがって、本発明の目的は、携帯電話機を小型軽量化するための薄型電源コネクタを提供することである。
【課題を解決するための手段】
【０００５】
本発明による薄型コネクタは、前面と後面とを備えた絶縁性ハウジングを含む。前面はジャックキャビティを画定し、後面はジャックキャビティと連通するホールベースを画定する。該ホールベースは貫通孔を備えた挿入制限部を含む。前記ホールベースの対向する内側壁は左側埋込スロットと右側埋込スロットとを画定し、前記ホールベースの内側底部壁は下側埋込スロットを画定する。互いに一体的に接続されたはんだ付部、基部及び導電性部を有する導電体片が配設されている。前記導電性部は貫通孔４４２１を含む。基部４４１はホールベースの右側埋込スロット内に配設される。第１の端子の嵌合部及び接続部は、それぞれ、挿入制限部の貫通孔と導電性部の貫通孔に挿入される。はんだ付部、基部、湾曲部及びばね接続部を有する第２の端子部が配設される。前記基部は、ホールベースの左側埋込スロット内に配設される。はんだ付部、基部及びばね接続部を有する第３の端子が配設され、基部はホールベースの下側埋込スロット内に配設される。
【０００６】
導電体片の基部は、導電性部とはんだ付部との間に接続され、曲げ部を形成している。前記はんだ付部は、基部の他端の下縁を曲げることによって形成される。第１の端子の突出部は、導電性部と制限部との間に固定され、第１の端子の嵌合部は、導電体片の貫通孔で終端する。
【０００７】
湾曲部は、基部の一端とばね端子アームの一端との間に接続され、はんだ付部は、基部の他端の下縁を曲げることによって形成され、ばね端子アームは、ホールベースの左側の所定の位置まで延在する。第３の端子の基部は、ばね端子アームとはんだ付部との間に接続され、該はんだ付部は、基部の側縁を曲げることによって形成され、ばね端子アームは、ホールベースの下側の所定の位置まで延在する。さらに、第２の端子、第３の端子及び導電体片の基部の側縁には複数の干渉突起が形成されている。
【０００８】
本発明の利点は第３の端子によるものである。該第３の端子は、従来、内側上壁に配設されていたが、本発明では、ホールベースの底壁の下側埋込スロット内に配設される。したがって、第３の端子が従来占有していたスペースが空いてハウジングの高さが低くなり、薄肉化と小型化の要望が満たされ、さらに、携帯電話機全体をより薄肉化、小型化することができる。
【０００９】
新規であると考えられる本発明の特徴は、添付の特許請求の範囲に詳細に述べる。本発明は、その目的及び利点とともに、添付図面と関連して行われる以下の説明を参照することによって最もよく理解することができ、図面において類似の参照符号は類似の要素を示す。
【発明を実施するための最良の形態】
【００１０】
図４を参照して説明する。本発明は薄型電源コネクタを提供する。薄型電源コネクタ４は、薄型コネクタモデル４００内に配設されてもよいし、別体で存在してもよい。コネクタモデル４００は、電源コネクタ４以外のコネクタ（音声コネクタ等）を更に含むことができる。
【００１１】
コネクタモデル４００（又は電源コネクタ４自体）の高さが低くなければならないので、その内部構成要素は、高さを最小にすることができるように設計されなければならない。図４及び５を参照すると、電源コネクタ４は、絶縁性ハウジング４０、複数の端子及び導電体片４４を有する。前記絶縁性ハウジング４０は、前面４０１と後面４０２とを有し、図４、９及び１０に示されるように、前面４０１はジャックキャビティ４０３を画定し、後面４０２はジャックキャビティ４０３と連通するホールベース４０４を画定する。
【００１２】
図６を参照すると、挿入制限部４５は、絶縁性ハウジング４０のホールベース４０４内に配設された貫通孔４５１を有する。前記ホールベース４０４の対向する内側壁は左側埋込スロット４６と右側埋込スロット４７とを画定する。前記ホールベース４０４の内側底壁は、下側埋込スロット４８を画定する。各埋込スロット４６、４７及び４８はホールベース４０４内に配置されている。
【００１３】
図５に、複数の端子と導電体片４４とを示す。図６、７及び８を参照すると、複数の端子は、第１の端子４１、第２の端子４２及び第３の端子４３を含む。導電体片４４は、基部４４１、導電性部４４２及びはんだ付部４４３を有する。導電性部４４２は貫通孔４４２１を有する。基部４４１は、導電性部４４２とはんだ付部４４３との間に接続され、基部４４１と導電性部４４２は、湾曲部によって互い接続されている。はんだ付部４４３は、基部４４１の下縁を曲げることによって形成されている。導電体片４４の基部４４１は、ホールベース４０４の右側埋込スロット４７内に配設される。
【００１４】
第１の端子４１は、嵌合部４１１、コンタクト部４１２及び突出カラー４１３を有する。該突出カラー４１３は、嵌合部４１１の、コンタクト部４１２と反対側の端に形成される。コンタクト部４１２は、制限部４５（図示せず）の貫通孔４５１に挿入される。嵌合部４１１は、導電性部４４２と電気接続するために導電性部４４２の貫通孔４４２１に挿入される。突出カラー４１３は、導電性部４４２と制限部４５（図示せず）との間に挟まれる。導電性部４４２は、第１の湾曲部によって基部４４１の一端に接続されている。はんだ付部４４３は、第２の湾曲部によって基部４４１の他端に接続されている。
【００１５】
第２の端子４２は、基部４２１、該基部から延在する湾曲部４２２、該湾曲部から延在するばね端子アーム４２３、及び、基部から延在するはんだ付部４２４を形成する。該はんだ付部４２４は、基部４２１の一部分を曲げることによって形成される。第２の端子４２の基部４２１は、ホールベース４０４の左側埋込スロット４６内に配設され、ばね端子アーム４２３は、ジャックキャビティ４０３内に、ホールベース４０４の左側における所定の位置まで延在する。
【００１６】
第３の端子４３は、基部４３１、弾性端子アーム４３２及びはんだ付部４３３を有する。基部４３１は、ばね端子アーム４３２とはんだ付部４３３との間に接続され、該はんだ付部４３３は、基部４３１の縁を曲げることによって形成される。第３の端子４３の基部４３１は、ホールベース４０４の下側埋込スロット４８内に配設され、ばね端子アーム４３２は、ホールベース４０４の下側の所定の位置まで延在する。
【００１７】
図７を参照すると、第２の端子４２、第３の端子４３及び導電体片４４の基部４２１、４３１及び４４１は、それぞれ、対応する埋込スロット（４６、４７、４８）の壁の縁と接触しているとともに、スロットの対応する壁と機械的に係合する複数の干渉突起を有していることによって、第２の端子４２、第３の端子４３及び導電体片４４がハウジングに固定される。
【００１８】
端子の機能に関して図４〜１０を参照すると、第１の端子４１は、（図１に示すような）相手側電源コネクタ３から正電力を受取ることができ、第２の端子４２は、接地端子として使用することができる。第３の端子４３はスイッチとして使用され、ジャックキャビティ４０３内の相手側電源コネクタ３の存在を検出してそれを急速充電モードにする。相手側電源コネクタ３が挿入されると、最初に、第３の端子４３のばね端子アーム４３２と接触し、回路基板の回路が相手側電源コネクタ３の存在を検出する。次に、コネクタ３は、第２の端子４２のばね端子アーム４２３と接触し、該ばね端子アーム４２３の自由端を押して接地を行う。最後に、第１の端子４１のコンタクト部４１２が、相手側電源コネクタ３と電気的に係合され正電力を受取る。したがって、電力は、相手側電源コネクタ３から前述の各端子に受取られ、はんだ付部４４３、４２４及び４３３を介してプリント回路基板に伝達される。
【００１９】
図７を参照すると、本発明の電源コネクタ４の組立後、図面に示すようなハウジングの後面の後ろに延在するはんだ付部４４３、４３３及び４２４が、回路基板（図示せず）上の所定の位置にはんだ付される。本発明の第３の端子４３がハウジングの上ではなく下にあるので、ハウジングの高さが低くなる。さらに、絶縁性ハウジングの上壁の高さが低くなり、絶縁性ハウジング４０の高さを低くする目的が達成される。
【００２０】
本発明のいくつかの実施形態を示し説明したが、この説明は、本発明を限定することを意図したものではない。むしろ、当業者は、本発明の趣旨及び範囲から逸脱することなく本発明の様々な変形例を考えることができる。したがって、本発明の保護対象は、本願に定義された特許請求の範囲に基づいて決められる。
【図面の簡単な説明】
【００２１】
【図１】従来技術における携帯電話機の従来の電源コネクタと相手側電源コネクタの分解斜視図である。
【図２】図１の電源コネクタの断面図である。
【図３】図２の電源コネクタの嵌合方向から見た図である。
【図４】本発明を後面から見た分解斜視図である。
【図５】本発明の第１〜第３の端子を正面から見た分解斜視図である。
【図６】本発明の絶縁性ハウジングを後面から見た他の分解斜視図である。
【図７】図４の本発明の組立斜視図である。
【図８】図７の本発明の後面図である。
【図９】本発明の組立正面斜視図である。
【図１０】図９の本発明の正面図である。
【図１】
2006521002.tif 000003
【図２】
2006521002.tif 000004
【図３】
2006521002.tif 000005
【図４】
2006521002.tif 000006
【図５】
2006521002.tif 000007
【図６】
2006521002.tif 000008
【図７】
2006521002.tif 000009
【図８】
2006521002.tif 000010
【図９】
2006521002.tif 000011
【図１０】
2006521002.tif 000012
【手続補正書】
【提出日】平成16年10月8日(2004.10.8)
【手続補正１】
【補正対象書類名】特許請求の範囲
【補正対象項目名】全文
【補正方法】変更
【補正の内容】
【特許請求の範囲】
【請求項１】
薄型電源コネクタ（４）であって、
前面（４０１）と後面（４０２）とを備えた絶縁性ハウジング（４０）であって、前面はジャックキャビティ（４０３）を含み、後面はジャックキャビティと連通するホールベース（４０４）とを含み、該ホールベースは、貫通孔（４５１）を備えた挿入制限部（４５）を含み、前記ホールベースの対向する内側壁は左側埋込スロット（４６）と右側埋込スロット（４７）とを画定し、前記ホールベースの内側底壁は下側埋込スロット（４８）を画定する絶縁性ハウジング（４０）と、
一体形成されたはんだ付部（４４３）、基部（４４１）及び導電性部（４４２）を備える導電体片（４４）であって、前記導電性部は貫通孔（４４２１）を含み、基部はホールベース（４０４）の右側埋込スロット（４７）内に配設される導電体片（４４）と、
一体形成された嵌合部（４１１）、コンタクト部（４１２）及び突出カラー（４１３）を備える第１の端子（４１）であって、前記コンタクト部（４１２）は挿入制限部（４５）の貫通孔（４５１）に挿入され、前記嵌合部（４１１）は導電性部（４４２）の貫通孔（４４２１）に挿入される第１の端子（４１）と、
該第１の端子から離間し、一体形成されたはんだ付部（４２４）、基部（４２１）、湾曲部（４２２）及びばねコンタクト部（４２３）を備える第２の端子（４２）であって、前記基部（４２１）はホールベースの左側埋込スロット（４６）内に配設される第２の端子（４２）と、
前記第１の端子及び第２の端子から離間し、一体形成されたはんだ付部（４３３）、基部（４３１）及びばねコンタクト部（４３２）を備える第３の端子（４３）であって、前記基部（４３１）がホールベース（４０４）の下側埋込スロット（４８）内に配設される第３の端子（４３）とを有する薄型電源コネクタ。
【請求項２】
前記導電体片（４４）の基部（４４１）は第１の湾曲部によって導電性部（４４２）に接続され、はんだ付部は第２の湾曲部によって基部に接続されている、請求項１に記載の薄型電源コネクタ。
【請求項３】
前記第１の端子（４１）の突出カラー（４１３）は、導電性部（４４２）と挿入制限部（４５）との間に締付けられている、請求項１に記載の薄型電源コネクタ。
【請求項４】
前記第２の端子（４２）の基部（４２１）の一端は湾曲部によってばねアーム（４２３）に接続され、前記基部の他端は湾曲部によってはんだ付部（４２４）に接続され、前記ばね端子アーム（４２３）はホールベース（４０４）の左側の所定の位置まで延在する、請求項１に記載の薄型電源コネクタ。
【請求項５】
前記第３の端子（４３）の基部（４３１）は第３の端子のばね端子アーム（４３２）とはんだ付部（４３３）との間に接続され、該はんだ付部は基部（４３１）の側縁の曲げ部から形成され、前記ばね端子アームはホールベース（４０４）の下側の所定の位置まで延在する、請求項１に記載の薄型電源コネクタ。
【請求項６】
前記第２の端子（４２）、第３の端子（４３）及び導電体片（４４）の基部（４２１）の側縁は、さらに、対応する埋込スロットの壁と機械的に係合する複数の干渉突起を備える、請求項１に記載の薄型電源コネクタ。
【請求項７】
薄型電源コネクタ（４）であって、
前面（４０１）と後面（４０２）とを備えた絶縁性ハウジング（４０）であって、前面はジャックキャビティ（４０３）を画定し、後面はジャックキャビティと連通するホールベース（４０４）を画定し、該ホールベースは、貫通孔（４５１）を備えた挿入制限部（４５）を備え、前記ホールベースの対向する内側壁は左側埋込スロット（４６）と右側埋込スロット（４７）とをそれぞれ画定し、前記ホールベースの内側底壁は下側埋込スロット（４８）を画定する絶縁性ハウジング（４０）と、
第１の端子の突出カラー（４１３）が挿入制限部（４１５）と係合するまでホールベース（４０４）に挿入される第１の端子（４１）と、
前記ホールベース（４０４）の右側埋込スロット（４７）内に配設され、第１の端子（４１）と電気的に係合する導電体片（４４）と、
前記第１の端子から離間し、接地のために前記ホールベース（４０４）の左側埋込スロット（４６）内に配設された第２の端子（４２）と、
前記第１の端子及び第２の端子から離間した制御のための第３の端子（４３）とを有し、該第３の端子は、ホールベース（４０４）の下側埋込スロット（４８）内に配設される薄型電源コネクタ。
【国際調査報告】
2006521002.tif 000013
2006521002.tif 000014